(57)【要約】【課題】  本発明は、内蔵アンテナを介して良好に無線通信し得るようにする。【解決手段】  本発明は、操作時に保持される手によって覆われないように内蔵アンテナ８が内蔵された筐体２に対する当該操作時とは異なる保持の仕方で手が接触すると内蔵アンテナ８のアンテナ利得が低下する利得低下接触部分１２Ａに、当該手が接触したか否かを検出し、筐体２の利得低下接触部分１２Ａに対する手の接触が検出されたとき、当該利得低下接触部分１２Ａから手を離すように警告するようにしたことにより、筐体２の利得低下接触部分１２Ａに接触した手を当該利得低下接触部分１２Ａから離させて、導電体でなる手により内蔵アンテナ８のアンテナ利得が低下することを防止することができ、かくして内蔵アンテナ８を介して良好に無線通信することができる。【選択図】        図４
2005064988.tif 000002
【特許請求の範囲】
【請求項１】
筐体と、
操作時に上記筐体を保持する手によって覆われないように当該筐体に内蔵された内蔵アンテナと、
上記筐体に対する上記操作時とは異なる保持の仕方で上記手が接触すると上記内蔵アンテナのアンテナ利得が低下する筐体所定部分に、当該手が接触したことを検出する接触検出手段と、
上記接触検出手段により、上記筐体所定部分に対する上記手の接触が検出されたとき、当該筐体所定部分から上記手を離すように警告する警告手段と
を具えることを特徴とする無線通信端末。
【請求項２】
上記接触検出手段により、上記筐体所定部分に対する上記手の接触が検出されたとき、上記筐体から上記筐体所定部分を突出させて当該筐体所定部分に接触している上記手を上記筐体から持ち上げる持上手段
を具えることを特徴とする請求項１に記載の無線通信端末。
【請求項３】
上記筐体所定部分に上記手を接触させないように注意を喚起する注意喚起手段
を具えることを特徴とする請求項１に記載の無線通信端末。
【請求項４】
操作時に保持される手によって覆われないように内蔵アンテナが内蔵された筐体に対する当該操作時とは異なる保持の仕方で上記手が接触すると、上記内蔵アンテナのアンテナ利得が低下する筐体所定部分に当該手が接触したか否かを検出する接触検出ステップと、
上記筐体の上記筐体所定部分に対する上記手の接触が検出されたとき、当該筐体所定部分から上記手を離すように警告する警告ステップと
を具えることを特徴とする接触警告方法。
【発明の詳細な説明】
【技術分野】
【０００１】
本発明は無線通信端末に関し、例えば携帯電話機に適用して好適なものである。
【背景技術】
【０００２】
従来の携帯電話機器は、筐体の所定位置にロッド状の外部アンテナが引出収納可能に設けられると共に、当該筐体の背面上側に内蔵アンテナが内蔵され、これら外部アンテナ及び内蔵アンテナを介して基地局と無線通信している（例えば、特許文献１参照）。
【特許文献１】特開２００２−１６４９８４公報（第３頁、図２）
【発明の開示】
【発明が解決しようとする課題】
【０００３】
ところでかかる構成の携帯電話機は、通話時や待受時に、ユーザの手によって内蔵アンテナを覆うように筐体が保持されると、その手が導電体であるために内蔵アンテナのインピーダンスが変化してアンテナ利得が低下することにより良好に無線通信し難くなるという問題があった。
【０００４】
本発明は以上の点を考慮してなされたもので、内蔵アンテナを介して良好に無線通信し得る無線通信端末を提案しようとするものである。
【課題を解決するための手段】
【０００５】
かかる課題を解決するため本発明においては、操作時に保持される手によって覆われないように内蔵アンテナが内蔵された筐体に対する当該操作時とは異なる保持の仕方で手が接触すると内蔵アンテナのアンテナ利得が低下する筐体所定部分に、当該手が接触したか否かを検出し、筐体の筐体所定部分に対する手の接触が検出されたとき、当該筐体所定部分から手を離すように警告するようにした。
【０００６】
従って、筐体の筐体所定部分に手が接触したときに警告によって当該筐体所定部分から手を離させることで、導電体でなる手により内蔵アンテナのアンテナ利得が低下することを防止することができる。
【発明の効果】
【０００７】
本発明によれば、操作時に保持される手によって覆われないように内蔵アンテナが内蔵された筐体に対する当該操作時とは異なる保持の仕方で手が接触すると内蔵アンテナのアンテナ利得が低下する筐体所定部分に、当該手が接触したか否かを検出し、筐体の筐体所定部分に対する手の接触が検出されたとき、当該筐体所定部分から手を離すように警告するようにしたことにより、筐体の筐体所定部分に手が接触したときに警告によって当該筐体所定部分から手を離させて、導電体でなる手により内蔵アンテナのアンテナ利得が低下することを防止することができ、かくして内蔵アンテナを介して良好に無線通信することができる。
【発明を実施するための最良の形態】
【０００８】
以下図面について、本発明の一実施の形態を詳述する。
【０００９】
図１及び図２において、１は全体として本発明を適用した携帯電話機を示し、合成樹脂材により縦長の直方体状に形成された筐体２内部で中央処理ユニット（CPU：Central Processing Unit ）３がＲＯＭ（Read  Only Memory）４に予め格納している各種プログラムを読み出してＲＡＭ（Random Access Memory）５上で展開することにより各種処理を実行する。
【００１０】
これにより中央処理ユニット３は、通話時、筐体２の正面板２Ａの一端部（以下、これを下端部と呼ぶ）に内蔵されたマイクロホン６でユーザの音声を集音し、得られた音声データに対して送受信回路７で所定の送信処理を施すことにより送信信号を生成し、当該生成した送信信号を筐体２内部の板状逆Ｆアンテナでなる内蔵アンテナ８から基地局（図示せず）に送信する。
【００１１】
このとき中央処理ユニット３は、基地局から送信された相手の音声に相当する受信信号を内蔵アンテナ８で受信して送受信回路７に取り込み、当該送受信回路７においてその受信信号に所定の受信処理を施し、得られた音声データに基づく相手の音声を、筐体２の正面板２Ａの他端部（以下、これを上端部と呼ぶ）に内蔵されたスピーカ９から出力することにより、ユーザと相手とを通話させる。
【００１２】
また筐体２の正面板２Ａには、ほぼ中央部よりも下側の中央下側に押下操作可能な各種操作キー１０が配置されると共に、ほぼ中央部よりも上側の中央上側に液晶ディスプレイでなる表示部１１が設けられ、各種操作キー１０を介して相手の電話番号や各種命令を入力させると共に、当該入力された電話番号等を表示部１１に表示してユーザに確認させるようになされている。
【００１３】
ここで図３に示すように、筐体２は、各種操作キー１０の押下操作時（以下、これを単に操作時と呼ぶ）、ユーザに右側面板２Ｂのほぼ中央部から下端部までの下側部に手の親指の付け根を押し付けさせ、かつ左側面板２Ｃの下側部から正面板２Ａの下側部に回り込むように親指以外の４本の指の指先をかけさせると共に、背面板２Ｄの下側部に手のひらを接触させて当該筐体２の下側部を覆うように保持させることにより、各種操作キー１０の押下操作によって正面板２Ａの下側部に筐体２の正面側から加わる押圧力を背面側の手のひらで受け止めさせ、かくして各種操作キー１０を適確に押下させるようになされている。
【００１４】
そして図４に示すように、筐体２は、操作時に当該筐体２の下側部をユーザに手で覆うように保持させることにより、当該操作時にユーザの手で覆われない背面板２Ｄのほぼ中央部から上端部までの上側部に内蔵アンテナ８が内蔵されている。
【００１５】
ところで図５（Ａ）及び（Ｂ）に示すように、筐体２は、通話時に当該筐体２の下側部を覆うように保持しているユーザの手の人差し指が延ばされて指先が背面板２Ｄの上側部に接触する（図５（Ａ））場合や、待受時にユーザにより右側面板２Ｂ及び左側面板２Ｃ並びに背面板２Ｄの上側部を手で覆うように保持されて当該背面板２Ｄの上側部に手のひらが接触する（図５（Ｂ））場合がある。
【００１６】
このため筐体２（図４）は、背面板２Ｄの上側部において、導電体でなるユーザの手（すなわち、指先や手のひら）が接触すると、内蔵アンテナ８のアンテナ利得が低下する筐体所定部分（以下、これを利得低下接触部分と呼ぶ）に窓２ＤＸが形成され、当該窓２ＤＸに、キャップ状に形成され、かつ天板全体を利得低下接触部分１２Ａとする持上部１２が矢印ａに示す筐体２内部に引き込まれる引込方向及びこれとは逆の矢印ｂに示す筐体２内部から突出する突出方向に移動可能に挿入されている。
【００１７】
また持上部１２の利得低下接触部分１２Ａ上には、シート状の接触センサ１３が設けられ、当該接触センサ１３により利得低下接触部分１２Ａに対する手の接触の有無を検出し得るようになされている。
【００１８】
さらに接触センサ１３上には、利得低下接触部分１２Ａに対してユーザに手を接触させないように注意を喚起する文字や図形等が描かれた注意喚起シール１４が貼り付けられ、これにより利得低下接触部分１２Ａに対してユーザに手を接触させないように視覚的に注意を喚起する。
【００１９】
これに加えて図６（Ａ）及び（Ｂ）に示すように、筐体２の内部には、持上部１２の変位量を規制する断面コ字状の変位規制部１５が足部１５Ａを背面板２Ｄの内側に固定し、かつ底板となる変位規制板１５Ｂを窓２ＤＸと内蔵アンテナ８との間に位置させて収納されると共に、当該変位規制板１５Ｂの内面と、持上部１２の内部とで囲まれた空間（以下、これを風船収納空間と呼ぶ）１６内に風船１７が収納されている。
【００２０】
この場合、持上部１２は、側面下側にフランジ１２Ｂが設けられ、当該フランジ１２Ｂと筐体２の背面板２Ｄ内側との間に複数のばね１８が介在され、これら各ばね１８により引込方向に付勢されている。
【００２１】
これにより持上部１２は、利得低下接触部分１２Ａにユーザの手（すなわち、人差し指の指先や手のひら）が接触するまでの間で風船収納空間１６内の風船１７が萎んでいる場合は、各ばね１８の付勢力によってフランジ１２Ｂを変位規制板１５Ｂの内面に突き当てる引込位置に変位することにより、利得低下接触部分１２Ａを筐体２の背面板２Ｄの表面と同一平面にして当該背面板２Ｄから接触センサ１３及び注意喚起シール１４のみを突出させ、かくして利得低下接触部分１２Ａに対する手の接触を接触センサ１３により適確に検出し得るようになされている（図６（Ａ））。
【００２２】
また持上部１２は、利得低下接触部分１２Ａに手（すなわち、人差し指の指先や手のひら）が接触したときには、風船収納空間１６内で圧縮空気の供給によって膨らむ風船１７に押されて突出方向に突出し、当該利得低下接触部分１２Ａに接触している手を背面板２Ｄから強引に持ち上げて内蔵アンテナ８から引き離すことにより、引込位置で利得低下接触部分１２Ａに接触していた手によるアンテナ利得の低下を回復させるような、例えば筐体２の背面板２Ｄと利得低下接触部分１２Ａとの段差に指先が引っかかる程度の突出位置まで変位する（図６（Ｂ））。
【００２３】
そして持上部１２は、突出位置に変位してユーザの手を強引に持ち上げることにより、筐体２を保持しているユーザの手に違和感を生じさせて離させると、風船収納空間１６内の風船１７を押し潰すようにして萎ませて引込位置に変位し、かくして携帯電話機１の携帯性が損なわれることを防止する。
【００２４】
以上の構成において、この携帯電話機１の中央処理ユニット３（図２）は、操作キー１０を介して起動命令が入力されたことに応じて携帯電話機１を起動させると、当該携帯電話機１を起動させている間、ＲＯＭ４から読み出した接触警告プログラムに従って図７に示す接触警告処理手順ＲＴ１を実行する。
【００２５】
中央処理ユニット３は、接触警告処理手順ＲＴ１を実行すると、ステップＳＰ１において接触センサ１３による検出結果に基づき、利得低下接触部分１２Ａに手が接触したか否かを判断し、当該利得低下接触部分１２Ａに筐体２を保持するユーザの手が接触するまでの間はこのステップＳＰ１の処理を繰り返すことにより手の接触を監視する。
【００２６】
そしてステップＳＰ１において肯定結果が得られると、このことは通話時や待受時に、ユーザの手により筐体２が操作時とは異なる保持の仕方で保持され、その結果、利得低下接触部分１２Ａに手が接触したことにより、内蔵アンテナ８のアンテナ利得が低下することを表しており、このとき中央処理ユニット３は、続くステップＳＰ２に移る。
【００２７】
ステップＳＰ２において中央処理ユニット３は、例えば「背面板上側から手を離してください」と言う警告音声をスピーカ９から出力することにより利得低下接触部分１２Ａから手を離すように警告して、続くステップＳＰ３に移る。
【００２８】
このようにして中央処理ユニット３は、本来、筐体２の下側部を覆うように保持する手がその保持の仕方を変えて指や手のひらが当該筐体２内部の内蔵アンテナ８を覆う利得低下接触部分１２Ａに接触したか否かを監視し、接触センサ１３によって利得低下接触部分１２Ａに対する手の接触を検出したときには、利得低下接触部分１２Ａから手を離すようにスピーカ９を介して警告する。
【００２９】
そしてステップＳＰ３において中央処理ユニット３は、利得低下接触部分１２Ａから手が離されたか否かを判断する。
【００３０】
このステップＳＰ３において否定結果が得られると、このことは利得低下接触部分１２Ａから手を離すように警告しても、当該利得低下接触部分１２Ａから手が離されてはいないことにより内蔵アンテナ８のアンテナ利得が低下したままとなることを表しており、このとき中央処理ユニット３は、続くステップＳＰ４に移る。
【００３１】
ステップＳＰ４において中央処理ユニット３は、モータ２５を駆動すると共に、そのモータ２５の回転力をエアコンプレッサ２６に伝達して当該エアコンプレッサ２６により圧縮空気を発生させ、当該発生させた圧縮空気を風船１７に供給する。
【００３２】
これにより中央処理ユニット３は、風船１７を圧縮空気で膨らませて持上部１２を筐体２の背面板２Ｄから突出させた後、ステップＳＰ３に戻る。
【００３３】
このようにして中央処理ユニット３は、この後ステップＳＰ３において肯定結果が得られるまでの間は、ステップＳＰ３−ＳＰ４−ＳＰ３の処理を循環的に繰り返す。
【００３４】
従って中央処理ユニット３は、利得低下接触部分１２Ａから手を離すように警告しても、その警告が聞き入れられずに当該利得低下接触部分１２Ａに手が接触している間は、筐体２の背面板２Ｄから持上部１２を突出させることにより利得低下接触部分１２Ａに接触している手を当該背面板２Ｄから強引に待ち上げて内蔵アンテナ８から強制的に遠ざけ、かくしてアンテナ利得の低下を防止する。
【００３５】
そしてステップＳＰ３において肯定結果が得られると、このことは利得低下接触部分１２Ａから手が離されたことを表しており、このとき中央処理ユニット３は、ステップＳＰ５に移る。
【００３６】
ステップＳＰ５において中央処理ユニット３は、持上部１２を筐体２の背面板２Ｄから突出させていたか否かを判断する。
【００３７】
このステップＳＰ５において否定結果が得られると、このことはユーザに対して、警告音声により利得低下接触部分１２Ａから手を離すように警告したことで、持上部１２を筐体２の背面板２Ｄから突出させる前に当該利得低下接触部分１２Ａから手が離されたことを表しており、このとき中央処理ユニット３は、ステップＳＰ１に戻る。
【００３８】
これに対してステップＳＰ５において肯定結果が得られると、このことは風船１７を膨らませて持上部１２を筐体２の背面板２Ｄから突出させて、筐体２を保持しているユーザの手に違和感を生じさせて利得低下接触部分１２Ａから手を離させたことを表しており、このとき中央処理ユニット３は、ステップＳＰ６に移る。
【００３９】
そしてステップＳＰ６において中央処理ユニット３は、エアコンプレッサ２６の駆動を停止して空気開放弁（図示せず）を開放することにより風船１７内の圧縮空気を放出させて持上部１２を引込位置に変位させた後、ステップＳＰ１に戻る。
【００４０】
このようにして中央処理ユニット３は、筐体２を保持するユーザの手（すなわち、指や手のひら）が利得低下接触部分１２Ａに接触する毎に上述した一連の処理を実行することにより当該手により内蔵アンテナ８のアンテナ利得が低下することを防止する。
【００４１】
以上の構成によれば、利得低下接触部分１２Ａに手が接触したときに、その接触を検出し、当該検出結果に応じて、利得低下接触部分１２Ａから手を離すように警告するようにしたことにより、利得低下接触部分１２Ａから手を離させて、当該手により内蔵アンテナ８のアンテナ利得が低下することを防止することができ、かくして内蔵アンテナ８を介して良好に無線通信し得る携帯電話機１を実現することができる。
【００４２】
また携帯電話機１は、利得低下接触部分１２Ａに対する手の接触に応じて手を離すように警告しても、その警告が無視されたときには、筐体２の背面板２Ｄから持上部１２を突出させて手を背面板２Ｄから強引に待ち上げるようにしたことにより、筐体２を保持している手の中で利得低下接触部分１２Ａに接触している指や手のひらのように一部分だけを筐体２の背面板２Ｄから強引に持ち上げることで、ユーザに対して筐体２を保持している手に違和感を与えて利得低下接触部分１２Ａから離させることができ、かくして内蔵アンテナ８のアンテナ利得が低下して良好に無線通信し難くなることをほぼ確実に防止することができる。
【００４３】
これに加えて携帯電話機１は、筐体２の背面板２Ｄから持上部１２を突出させても、利得低下接触部分１２Ａから手が離されないときには、当該持上部１２をそのまま背面板２Ｄから突出させてユーザの手を背面板２Ｄから持ち上げたままの状態にするようにしたことにより、当該利得低下接触部分１２Ａに接触している手を内蔵アンテナ８から強制的に遠ざけてアンテナ利得が低下することを防止することができ、かくして良好な無線通信を維持することができる。
【００４４】
さらに携帯電話機１は、利得低下接触部分１２Ａに注意喚起シール１４を貼り付けて当該利得低下接触部分１２Ａに対して手を接触させないように注意を喚起するようにしたことにより、利得低下接触部分１２Ａに手が接触することを未然に防止することができると共に、通話時や待受時に利得低下接触部分１２Ａに無意識に手が接触したときでも、当該利得低下接触部分１２Ａから手を離させるように警告したときに、その手を離させるべき利得低下接触部分１２Ａを適確に教えることができ、かくして内蔵アンテナ８のアンテナ利得が低下して良好に無線通信し難くなることをさらに確実に防止することができる。
【００４５】
さらに携帯電話機１は、持上部１２を引込位置に変位させたときに利得低下接触部分１２Ａを背面板２Ｄと同一平面にし、当該利得低下接触部分１２Ａ上の接触センサ１３を当該背面板２Ｄから突出させるようにしたことにより、筐体２の上側部がユーザにより手で覆うように保持されたとき、利得低下接触部分１２Ａに対するユーザの手のひらの接触を接触センサ１３でほぼ確実に検出して当該利得低下接触部分１２Ａから手を離させるように適確に警告することができる。
【００４６】
なお上述の実施の形態においては、利得低下接触部分１２Ａから手を離すように警告しても当該利得低下接触部分１２Ａから手が離されないときに、持上部１２を突出位置に変位させて手を背面板２Ｄから強引に持ち上げるようにした場合について述べたが、本発明はこれに限らず、利得低下接触部分１２Ａに手が接触した時点に持上部１２を突出位置に変位させて手を背面板２Ｄから強引に持ち上げることにより内蔵アンテナ８から遠ざけるようにしても良い。このようにすれば、利得低下接触部分１２Ａに対する手の接触による内蔵アンテナ８のアンテナ利得の低下期間を極力短くすることができ、かくして良好な通信状態を確保することができる。
【００４７】
また上述の実施の形態においては、本発明を図１乃至図７について上述した携帯電話機１に適用するようにした場合について述べたが、本発明はこれに限らず、ヒンジ部や表示部筐体に内蔵アンテナが内蔵された折畳式携帯電話機、トランシーバ、ページャ（いわゆる、ポケットベル）、無線通信機能付のＰＤＡ（Personal Digital Assistance ）、無線通信機能付きのノートブック型パーソナルコンピュータ等のように、本発明をこの他種々の無線通信端末に広く適用することができる。
【００４８】
さらに上述の実施の形態においては、操作時に筐体を保持する手によって覆われないように当該筐体に内蔵された内蔵アンテナとして、図１乃至図７について上述した板状逆Ｆアンテナでなる内蔵アンテナ８を適用するようにした場合について述べたが、本発明はこれに限らず、筐体に対して操作時の手による保持部分を確実に確保させたうえで、当該手によって覆われないように内蔵し得るものであれば、スリットアンテナやヘリカルアンテナ、折畳型のダイポールアンテナ等のように、この他種々の内蔵アンテナを広く適用することができる。
【００４９】
さらに上述の実施の形態においては、筐体に対する操作時とは異なる保持の仕方で手が接触すると内蔵アンテナのアンテナ利得が低下する筐体所定部分に、当該手が接触したことを検出する接触検出手段として、図１乃至図７について上述したシート状の接触センサ１３を適用するようにした場合について述べたが、本発明はこれに限らず、光ビームの発光素子及び受光素子を有し、光ビームの遮断により利得低下接触部分１２Ａに対する手の接触を検出する接触検出手段等のように、この他種々の接触検出手段を広く適用することができる。
【００５０】
さらに上述の実施の形態においては、接触検出手段により、筐体所定部分に対する手の接触が検出されたとき、当該筐体所定部分から手を離すように警告する警告手段として、図１乃至図７について上述した中央処理ユニット３及びスピーカ９を適用して警告音声により利得低下接触部分１２Ａから手を離すように警告するようにした場合について述べたが、本発明はこれに限らず、着信通知用のモータや表示部、持上部１２等を適用し、当該モータを着信通知時とは異なる振動周期で駆動することにより筐体２全体を振動させて利得低下接触部分１２Ａから手を離すように警告し、又は利得低下接触部分１２Ａに手が接触している間、表示部の表示を一時的に消灯して携帯電話機１の機能が損なわれたように見せかけて利得低下接触部分１２Ａから手を離すように警告し、さらには表示部に警告文等を表示して利得低下接触部分１２Ａから手を離すように警告し、さらにまたモータにより持上部１２を筐体２の背面板２Ｄと平行な筐体長手方向又は垂直な方向（すなわち、引込方向及び突出方向）に振動させて利得低下接触部分１２Ａから手を離すように警告する等のように、この他種々の警告手段を広く適用して種々の警告方法によって警告するようにしても良い。
【００５１】
さらに上述の実施の形態においては、接触検出手段により、筐体所定部分に対する手の接触が検出されたとき、筐体から筐体所定部分を突出させて当該筐体所定部分に接触している手を筐体から持ち上げる持上手段として、図１乃至図７について上述した持上部１２、風船１７、モータ２５及びエアコンプレッサ２６を適用するようにした場合について述べたが、本発明はこれに限らず、持上部１２及びこれを昇降させるアクチュエータや、電流の通電の有無によって自らの形状を変形させる形状記憶合金でなる持上部等のように、この他種々の持上手段を広く適用することができる。
【００５２】
さらに上述の実施の形態においては、筐体所定部分に手を接触させないように注意を喚起する注意喚起手段として、図１乃至図７について上述した接触センサ１３に貼り付ける注意喚起シール１４を適用するようにした場合について述べたが、本発明はこれに限らず、筐体の背面板２Ｄとは異なる表面状態の加工や着色により注意を喚起する注意喚起シール、又は筐体２の背面板２Ｄよりも利得低下接触部分１２Ａを凹ませて接触させずらくするように引込位置が選定された持上部、さらには背面板２Ｄとは異なる表面状態となるように彫刻処理（すなわち、凹み処理）やローレット処理（すなわち、凸処理）等の加工が直接施された利得低下接触部分１２Ａを有する持上部１２又は接触センサ１３等のように、この他種々の注意喚起手段を広く適用することができる。
【００５３】
因みに図８（Ａ）乃至（Ｆ）に示すように、利得低下接触部分１２Ａから手を離させるように注意を喚起するために注意喚起シール３０Ａ乃至３０Ｆに描く絵柄としては、内蔵アンテナ８が内蔵されていることを示す文字や図形、利得低下接触部分１２Ａの範囲を示す図形等のように、この他種々の文字及び図形を適用することができる。また利得低下接触部分１２Ａから手を離させるように注意を喚起するには、かかる文字及び図形を持上部１２の利得低下接触部分１２Ａ又は接触センサ１３に彫刻処理やローレット処理を施して直接描くようにしても良い。
【産業上の利用可能性】
【００５４】
本発明は、携帯電話機や、トランシーバ、ＰＤＡ等の無線通信端末に利用することができる。
【図面の簡単な説明】
【００５５】
【図１】本発明による携帯電話機の正面の構成の一実施の形態を示す略線的斜視図である。
【図２】携帯電話機の回路構成を示すブロック図である。
【図３】筐体に対する操作時の手による保持の仕方の説明に供する略線的斜視図である。
【図４】携帯電話機の背面の構成を示す略線的分解斜視図である。
【図５】利得低下接触部分に手を接触させた状態の筐体の保持の仕方の説明に供する略線的斜視図である。
【図６】持上部の変位の説明に供する略線的断面図である。
【図７】接触警告処理手順を示すフローチャートである。
【図８】他の実施の形態による注意喚起シールの絵柄を示す略線図である。
【符号の説明】
【００５６】
１……携帯電話機、２……筐体、３……中央処理ユニット、８……内蔵アンテナ、９……スピーカ、１２……持上部、１２Ａ……利得低下接触部分、１３……接触センサ、１４、３０Ａ乃至３０Ｆ……注意喚起シール、１７……風船、２５……モータ、２６……エアコンプレッサ、ＲＴ１……接触警告処理手順。
【図１】
2005064988.tif 000003
【図２】
2005064988.tif 000004
【図３】
2005064988.tif 000005
【図４】
2005064988.tif 000006
【図５】
2005064988.tif 000007
【図６】
2005064988.tif 000008
【図７】
2005064988.tif 000009
【図８】
2005064988.tif 000010